(57)【特許請求の範囲】
【請求項１】
断面円形の手すり材と床面との傾斜角度、及び壁面との間隔を調整可能に壁へ取り付ける壁用手すりブラケットであって、
小径穴と大径穴を連設した段付きの軸穴を有し、小径穴の内周面に軸方向の全長に及ぶ溝を設けた円筒状の筒部の一端に、壁へ取り付ける座部を設けた座部材と、
前記座部材の筒部へ嵌め合わせる円柱状の軸部、及び同軸部の他端側に軸部と直角に延設され、手すり材の端部を挿入し、又は手すり材を抱持する保持部により構成された保持部材と、
前記座部材の筒部に設けたネジ穴へねじ込んで内周面へ出没させ、保持部材の軸部の外周面へ圧接させる押しねじとで構成され、
前記保持部材の軸部は、前記座部材の筒部へ嵌め合わせる側の端部の外周面に突設されて座部材の筒部の溝内を通過可能な突起を備えており、
座部を壁へ取り付け、座部材の筒部における軸穴及びその溝へ保持部材の軸部及び突起が嵌め合わされ、前記突起が溝を突き抜けた状態で同軸部を円周方向へ回転させて床面に対する手すり材の傾斜角度が調整され、軸部を軸方向へ移動させて同手すり材と壁面との間隔が調整され、押しねじを筒部のネジ穴へねじ込み軸部の外周面へ圧接させて座部材の筒部と保持部材の軸部とを固定する構成であることを特徴する、壁用手すりブラケット。
【請求項２】
断面円形の手すり材と床面との傾斜角度、及び壁面との間隔を調整可能に壁へ取り付ける壁用手すりブラケットであって、
円柱形状の軸部の一端に壁へ取り付ける座部を設けた座部材と、
円筒形状を呈し、小径穴と大径穴を連設した段付きの軸穴を有し、小径穴の内周面に軸方向の全長に及ぶ溝が設けられ前記座部材の軸部へ嵌め合わせる円筒状の筒部、及び同筒部の他端に筒部と直角に延設され、手すり材の端部を挿入し、又は手すり材を抱持する保持部により構成された保持部材と、
前記保持部材の筒部に設けたネジ穴へねじ込んで内周面へ出没させ、座部材の軸部の外周面へ圧接させる押しねじとで構成され、
前記座部材の軸部は、前記保持部材の筒部へ嵌め合わせる側の端部の外周面に突設されて保持部材の筒部の溝内を通過可能な突起を備えており、
座部を壁へ取り付け、座部材の軸部及び突起が、保持部材の筒部における軸穴及びその溝へ嵌め合わされ、前記突起が溝を突き抜けた状態で前記軸部を円周方向へ回転させて床面に対する手すり材の傾斜角度が調整され、軸部を軸方向へ移動させて同手すり材と壁面との間隔が調整され、押しねじを筒部のネジ穴へねじ込み軸部の外周面へ圧接させて座部材の軸部と保持部材の筒部とを固定する構成であることを特徴する、壁用手すりブラケット。
【発明の詳細な説明】
【技術分野】
【０００１】
本発明は、断面が円形の手すり材を、床面との傾斜角度及び壁面との間隔を調整可能に取り付け得る壁用手すりブラケットに関する。
【背景技術】
【０００２】
従来、この種の壁用手すりブラケットとしては、下記特許文献１に記載された手摺用ブラケットが知られている。
上記の手摺用ブラケットは、座金と、同座金中央部の孔に嵌合する小径部と、同孔の周縁部に当接する大径部を有し、壁面に埋設固定されたアンカーボルトの螺子部に螺合する螺孔を形成した固定軸と、同固定軸の大径部から延長する螺杆部に螺合するスペーサと、同スペーサの端面に当接する笠木支持部材と、同笠木支持部材の表面側から挿通され、前記螺杆部に形成された螺孔に螺合して該笠木支持部材とスペーサとを一体化する締着ボルトから構成されている。
上記構成の手摺用ブラケットは、座金と固定軸とを別体の構造とすることにより、座金によって壁面が傷つけられることがない、というものである。
【先行技術文献】
【特許文献】
【０００３】
【特許文献１】実開平７−２１８７７号公報
【発明の概要】
【発明が解決しようとする課題】
【０００４】
手摺用ブラケットを取り付ける壁面等は必ずしも垂直とは限らない。その上、固定ビスの下穴位置の微妙なズレ等によって手すり材の芯合わせに苦労する。その為、床面との傾斜角度及び壁面との間隔を調整可能な手すりブラケットが従来から知られている。
しかし、従来の壁用手すりブラケットでは、床面との傾斜角度及び壁面との間隔を調整可能に手すり材を壁に取り付けることができるものの、構成部品が、座金、固定軸、スペーサ、笠木支持部材及び締着ボルトの５点と多い。しかも、笠木支持部材による手すり材の保持のために別異の部品を必要とする上に、手すり材を壁に取り付けるのに多大の労力を必要とする不具合がある。
【０００５】
そこで、本発明は、構成部品点数を低減し、かつ、壁への取り付けを容易に行える壁用手すりブラケットを提供することを目的とする。
【課題を解決するための手段】
【０００６】
上記課題を解決するための手段として、請求項１に記載した発明に係る壁用手すりブラケットは、
断面円形の手すり材９９と床面との傾斜角度、及び壁面との間隔を調整可能に壁１００へ取り付ける壁用手すりブラケット４７であって、
小径穴５１ａと大径穴５１ｂを連設した段付きの軸穴５１を有し、小径穴５１ａの内周面に軸方向の全長に及ぶ溝５２を設けた円筒状の筒部５３の一端に、壁１００へ取り付ける座部５４を設けた座部材４８と、
前記座部材４８の筒部５３へ嵌め合わせる円柱状の軸部５６、及び同軸部５６の他端側に軸部５６と直角に延設され、手すり材９９の端部を挿入し、又は手すり材９９を抱持する保持部５７により構成された保持部材４９と、
前記座部材４８の筒部５３に設けたネジ穴５５へねじ込んで内周面へ出没させ、保持部材４９の軸部５６の外周面へ圧接させる押しねじ５０とで構成され、
前記保持部材４９の軸部５６は、前記座部材４８の筒部５３へ嵌め合わせる側の端部の外周面に突設されて座部材４８の筒部５３の溝５２内を通過可能な突起５８を備えており、
座部５４を壁１００へ取り付け、座部材４８の筒部５３における軸穴５１及びその溝５２へ保持部材４９の軸部５６及び突起５８が嵌め合わされ、前記突起５８が溝５２を突き抜けた状態で同軸部５６を円周方向へ回転させて床面に対する手すり材９９の傾斜角度が調整され、軸部５６を軸方向へ移動させて同手すり材９９と壁面との間隔が調整され、押しねじ５０を筒部５３のネジ穴５５へねじ込み軸部５６の外周面へ圧接させて座部材４８の筒部５３と保持部材４９の軸部５６とを固定する構成であることを特徴する。
【０００７】
請求項２に記載した発明に係る壁用手すりブラケットは、
断面円形の手すり材９９と床面との傾斜角度、及び壁面との間隔を調整可能に壁１００へ取り付ける壁用手すりブラケット４０であって、
円柱形状の軸部４１の一端に壁１００へ取り付ける座部４２を設けた座部材２１ａと、
円筒形状を呈し、小径穴４３ａと大径穴４３ｂを連設した段付きの軸穴４３を有し、小径穴４３ａの内周面に軸方向の全長に及ぶ溝４４が設けられ前記座部材２１ａの軸部４１へ嵌め合わせる円筒状の筒部４５、及び同筒部４５の他端に筒部４５と直角に延設され、手すり材９９の端部を挿入、又は手すり材９９を抱持する保持部５７により保持部材２２ａと、
前記保持部材２２ａの筒部４５に設けたネジ穴４６へねじ込んで内周面へ出没させ、座部材２１ａの軸部４１の外周面へ圧接させる押しねじ５０とで構成され、
前記座部材２１ａの軸部４１は、前記保持部材２２ａの筒部４５へ嵌め合わせる側の端部の外周面に突設されて保持部材２２ａの筒部４５の溝４４内を通過可能な突起４１ａを備えており、
座部４２を壁１００へ取り付け、座部材２１ａの軸部４１及び突起４１ａが、保持部材２２ａの筒部４５における軸穴４３及びその溝４４へ嵌め合わされ、前記突起４１ａが溝４４を突き抜けた状態で前記軸部４１を円周方向へ回転させて床面に対する手すり材９９の傾斜角度が調整され、軸部４１を軸方向へ移動させて同手すり材９９と壁面との間隔が調整され、押しねじ５０を筒部４５のネジ穴４６へねじ込み軸部４１の外周面へ圧接させて座部材２１ａの軸部４１と保持部材２２ａの筒部４５とを固定する構成であることを特徴する。
【発明の効果】
【０００８】
本発明の壁用手すりブラケットは、座部材４８（又は２１ａ）、保持部材４９（又は２２ａ）及び押しねじ５０のたった３点で構成されているので、製作が容易で、安価に提供できる。しかも、壁１００への取り付けを容易に行える。
また、座部５４を壁１００へ取り付ける座部材４８の筒部５３へ保持部材４９の軸部５６を嵌め合わせ、又は座部４２を壁１００へ取り付ける座部材２１ａの軸部４１を保持部材２２ａの筒部４５へ嵌め合わせ、同軸部５６（又は４１）を円周方向へ回転させて床面に対する手すり材９９の傾斜角度を調整し、また、軸方向へ移動させて同手すり材９９の壁面との間隔Ｌをそれぞれ調整でき、押しねじ５０できっちり固定できる。
つまり、手すり材９９の床面に対する傾斜角度と、壁面との間隔Ｌを自在に、軽便に調整できるから、壁面の状態に応じて最も適切な態様に取り付けることができる便利さがある。
勿論、取り扱いが容易で、誰でも熟練を要することなく使用できる便利さがある。
【図面の簡単な説明】
【０００９】
【図１】本発明に係る壁用手すりブラケットの参考例１を示す正面図である。
【図２】図１の手すりブラケットを壁面へ取り付けた状態の平面図である。
【図３】図１の手すりブラケットを壁面へ取り付けた状態の右側面図である。
【図４】図１の手すりブラケットの左側面図である。
【図５】図１の手すりブラケットを構成する座部材の平面図である。
【図６】図１の手すりブラケットを構成する保持部材の平面図である。
【図７】本発明に係る壁用手すりブラケットの参考例２を示す分解平面図である。
【図８】本発明に係る壁用手すりブラケットの実施例１を示す分解平面図である。
【図９】本発明に係る壁用手すりブラケットの実施例２を示す分解平面図である。
【図１０】本発明に係る壁用手すりブラケットの実施例３を示す右側面図である。
【図１１】図１０の手すりブラケットの背面図である。
【図１２】図１０の手すりブラケットを構成する座部材の右側面図である。
【図１３】図１０の手すりブラケットを構成する保持部材も分解右側面図である。
【発明を実施するための形態】
【００１０】
本発明に係る壁用手すりブラケットは、小径穴５１ａと大径穴５１ｂを連設した段付きの軸穴５１を有し、小径穴５１ａの内周面に軸方向の全長に及ぶ溝５２を設けた円筒状の筒部５３の一端に、壁１００へ取り付ける座部５４を設けた座部材４８と、座部材４８の筒部５３へ嵌め合わせる円柱状の軸部５６、及び軸部５６の他端側に軸部５６と直角に延設され、手すり材９９の端部を挿入し、又は手すり材９９を抱持する保持部５７により構成された保持部材４９と、座部材４８の筒部５３に設けたネジ穴５５へねじ込んで内周面へ出没させ、保持部材４９の軸部５６の外周面へ圧接させる押しねじ５０とで構成されている。
保持部材４９の軸部５６は、座部材４８の筒部５３へ嵌め合わせる側の端部の外周面に突設されて座部材４８の筒部５３の溝５２内を通過可能な突起５８を備えている。
座部５４を壁１００へ取り付け、座部材４８の筒部５３における軸穴５１及びその溝５２へ保持部材４９の軸部５６及び突起５８が嵌め合わされ、突起５８が溝５２を突き抜けた状態で軸部５６を円周方向へ回転させて床面に対する手すり材９９の傾斜角度が調整され、軸部５６を軸方向へ移動させて手すり材９９と壁面との間隔が調整され、押しねじ５０を筒部５３のネジ穴５５へねじ込み軸部５６の外周面へ圧接させて座部材４８の筒部５３と保持部材４９の軸部５６とを固定する。
［参考例１］
【００１１】
以下、本発明の参考例及び実施例を図面を参照して説明する。
図１〜図６は、本発明に係る壁用手すりブラケットの参考例１を示している。
この壁用手すりブラケット１は、断面が円形の手すり材９９を床面との傾斜角度、及び壁面（いずれも図示せず）との間隔Ｌを所要範囲内で調整可能に壁１００へ取り付けるためのものであり、合成樹脂又は金属によって形成されている。即ち、壁１００に取り付けられる座部材２と、一端側を座部材２の軸部６に嵌合され、他端側に手すり材９９の端部を保持するＬ字形状の保持部材３と、座部材２と保持部材３とを一体的に結合する押しねじ４とで構成されている。
座部材２は、図５に示すように、円柱状を呈し、外周面に周方向及び軸方向へ広がる方形の凹部５を設けた軸部６と、壁１００に取り付けるため軸部６の一端（図２及び図５においては上端）に設けた長円形状の座部７とから構成されている。
前記軸部６に設けられた周方向及び軸方向へ広がる方形の凹部５は、その底面へ圧接される押しねじ４と手すり材９９との関係において、保持部３が水平な中立位置（図１の中心線Ｎを参照）を基準として、上方へ９０度、下方へ４５度の合計回転角１３５度を許容する広がりに形成されている。従って、手すり材９９は垂直上向きの取り付け位置から、下向き４５度の範囲まで床面に対する傾斜角度を広く調整することができる。
前記軸部６には、その重量等を低減するための肉盗み８が軸心部に設けられている。また、手すり材９９と壁面との間隔を表示するための目盛９（図３参照）が、軸部６において前記凹部５と反対側の外周面に刻設されている。前記座部７には、取付けねじ等を挿通する複数の取付け穴１０（図１参照）が長径方向の両側位置に設けられている。
一方、保持部材３は、図６に示すように、座部材２の軸部６が嵌合される円筒状の筒部１１と、筒部１１の他端側（図６においては下端側）を筒部１１と直角に湾曲して延設され、手すり材９９の端部を挿入して保持させる有底円筒状の保持部１２とで構成されている。前記筒部１１には、前記押しねじ４を出没可能にねじ込むねじ穴１３が、座部材２の軸部６に形成された方形の凹部５と対峙する位置に設けられている（図１と図２参照）。また、保持部１２には、挿入した手すり材９９を保持部１２と一体的に結合する固定ねじ（図示せず）をねじ込むねじ穴１４が、筒部１１と同一側の位置に設けられている。
【００１２】
上記構成要素で成る壁用手すりブラケット１は、座部材２の軸部６と保持部材３の筒部１１を嵌め合わせ、押しねじ４をねじ穴１３をねじ込み軸部６の凹部５内に突出させる。その上で、座部材２と保持部材３が、図１に示すように、軸部６と筒部１１の軸線を中心として凹部５の周方向の広がりの範囲で相対的に回動され、床面との傾斜角度が調整される。しかも図２に示すように、軸部６と筒部１１とは、軸線上を凹部５の軸方向の広がりの範囲で相対的に移動され、もって壁面との間隔を接近ないし離反される。そして、前記押しねじ４を凹部５の底面に圧接するまでねじ込むことにより、座部材２と保持部材３が一体的に結合され、もって前記床面との傾斜角度及び壁面との間隔Ｌが確定される。従って、従来のものに比べて、構成部品点数を格段に少なくできると共に、取り付け作業も極めて容易に行うことができる。
［参考例２］
【００１３】
図７は、本発明に係る壁用手すりブラケットの参考例２であり、上記図１〜図６に基づいて説明した壁用手すりブラケット１とは、座部材と保持部材の軸部、筒部の関係が逆転した構成を分解状態で示している。
上述した参考例１は、座部材２を軸部６と座部７とから構成し、保持部材３を筒部１１と保持部１２とから構成して、両者の軸部６と筒部１１を嵌め合わせる構成とした。これに対し、参考例２の壁用手すりブラケット１５は、逆に、座部材２ａを円筒状の筒部１６とし、これを壁１００に取り付けるため同筒部１６の一端に座部７を設けた。筒部１６には、押しねじ４を出没可能にねじ込むねじ穴１７を設けている。
一方、保持部材３ａは、座部材２ａの筒部１６へ嵌合する円柱状の軸部１８と、軸部１８の他端側に軸部１８と直角に湾曲して延設してＬ字形とした、手すり材９９の端部を挿入して保持させる有底円筒状の保持部１２とで構成した。更に軸部１８には周方向及び軸方向へ広がる方形の凹部１９を外周面に設け、前記筒部１６へ軸部１８を嵌め合わせて壁用手すりブラケット１５を構成するのである。
その他の構成及び作用効果は、上記の参考例１とほぼ同様であるので、同一の構成部材等には同一の符号を付してその説明を省略する。
【実施例１】
【００１４】
図８は、本発明に係る壁用手すりブラケットの実施例１を分解状態で示している。
この壁用手すりブラケット４７は、上記参考例１又は２と同様に、断面円形の手すり材９９を床面との傾斜角度、及び壁面（いずれも図示せず）との間隔Ｌを所要範囲内で調整可能に壁へ取り付けるものであり、合成樹脂又は金属によって形成されている。
この壁用手すりブラケット４７は、壁１００へ取り付ける座部材４８と、座部材４８へ嵌め合わせて、手すり材９９の端部を保持させる保持部材４９と、座部材４８と保持部材４９とを一体的に結合する押しねじ５０とで構成されている。
座部材４８は、小径穴５１ａと大径穴５１ｂを連設した段付きの軸穴５１を有し、小径穴５１ａの内周面の軸方向（図８においては上下方向）の全長に及ぶ溝５２を設けた円筒状の筒部５３と、壁１００に取り付けるため筒部５３の大径穴５１ｂ側の端部（図８においては上方側端部）に設けた座部５４とで構成されている。筒部５３には、前記押しねじ５０を溝５２の底面から出没可能にねじ込むねじ穴５５が設けられている。また、座部５４には、取付けねじ等を通す複数の取付け穴（図示せず）が設けられている。
一方、保持部材４９は、前記座部材４８の筒部５３の小径穴５１ａへ嵌め合わせる円柱状の軸部５６と、同軸部５６の他端側（図８においては下端側）に軸部５６と直角に延設され、手すり材９９の端部を挿入して保持させる有底円筒状の保持部５７とで構成されている。軸部５６の先端部には、座部材４８の筒部５３の溝５２内を通過可能な突起５８が、外周面に突設されている。また、手すり材９９と壁面との間隔を表示する目盛（図示せず）が、突起５８からは約１／４円周を隔てた外周面に刻設されている。更に、保持部５７には、手すり材９９を保持部５７と一体的に結合する固定ねじ（図示せず）をねじ込むねじ穴５９が、軸部５６の延設方向と同じ側の位置に設けられている。
【００１５】
上記構成の壁用手すりブラケット４７は、座部材４８の筒部５３と保持部材４９の軸部５６を嵌め合わせ、突起５８を軸穴５１の大径穴５１ｂ内に位置させる。そして、座部材４８と保持部材４９は、筒部５３と軸部５６の軸線を中心として全周にわたり相対的に回動可能に、しかも軸部５６が不用意に抜け出る事故の心配がない状態に組み合わされる。
。因みに、筒部５３の小径穴５１ａの内周面の軸方向に形成された溝５２は、軸部５６を嵌め合わせる際、突起５８を通すため利用される。
前記筒部５３と軸部５６の軸線上を大径穴５１ｂの長さの範囲内で相対的に移動（接近・離反）可能とされ、押しねじ５０を強くねじ込み軸部５６の外周面へ圧接させることにより座部材４８と保持部材４９は一体的に結合され、上記参考例１又は２とほぼ同様の作用、効果を奏する。
【実施例２】
【００１６】
図９は、本発明に係る壁用手すりブラケットの実施例２であり、上記図８に基づいて説明した実施例１の壁用手すりブラケット４７とは、座部材と保持部材の軸部、筒部の関係が逆転した構成を分解状態で示している。
上述した実施例１は、座部材４８を円筒状の筒部５３と座部５４とから構成し、保持部材４９を軸部５６と保持部５７とから構成して、両者の軸部５６と筒部５３を嵌め合わせる構成とした。これに対し、実施例２の壁用手すりブラケット４０は、逆に、座部材２１ａを軸部４１とし、これを壁１００に取り付けるため同軸部４１の一端に座部４２を設けた。前記軸部４１の先端部には、保持部材２２ａの筒部４５の溝４３内を通過可能な突起４１ａが、外周面に突設されている。また、手すり材９９と壁面との間隔を表示する目盛（図示せず）が、突起４１ａからは約１／４円周を隔てた外周面に刻設されている。
なお、前記座部４２には、取付けねじ等を通す複数の取付け穴（図示せず）が設けられている。
一方、保持部材２２ａは、座部材２１ａの軸部４１へ嵌合する円筒状の筒部４５と、同筒部４５の他端側に筒部４５と直角に湾曲して延設してＬ字形とした、手すり材９９の端部を挿入して保持させる有底円筒状の保持部５７とで構成した。前記筒部４５は、小径穴４３ａと大径穴４３ｂを連設した段付きの軸穴４３を有し、小径穴４３ａの内周面に軸方向の全長に及ぶ溝４４が設けられている。また、前記筒部４５には、押しねじ５０を出没可能にねじ込むねじ穴４６を設けている。
前記保持部材２２ａの筒部４５における軸穴４３及びその溝４４へ座部材２１ａの軸部４１及び突起４１ａを嵌め合わせて壁用手すりブラケット４０を構成するのである。
その他の構成及び作用効果は、上記の実施例１の壁用手すりブラケット４７とほぼ同様であるので、同一の構成部材等には同一の符号を付してその説明を省略する。
【実施例３】
【００１７】
図１０〜１３は、本発明に係る壁用手すりブラケットの実施例３を示している。
実施例３の壁用手すりブラケット６９は、断面が円形の手すり材９９を、床面との傾斜角度、並びに壁面（いずれも図示せず）との間隔Ｌを所要範囲内で調整可能に壁１００へ取り付ける構成であり、合成樹脂又は金属によって形成されている。
この壁用手すりブラケット６９は、壁１００に取り付けられる座部材２１と、座部材２１に嵌合されて、手すり材９９の中間部又は端部を保持する保持部材２２と、座部材２１と保持部材２２とを一体的に結合する押しねじ２３とで構成されている。
座部材２１は、図１２に示すように、小径穴２４ａと大径穴２４ｂを連設した段付きの軸穴２４を有すると共に、小径穴２４ａの内周面には軸方向（図１２においては左右方向）の全長に及ぶ溝２５を設けた円筒状の筒部２６と、壁１００に取り付けるため、筒部２６の大径穴２４ｂ側の一端（図１２においては右端）に設けた座部２７とから構成されている。筒部２６には、上記押しねじ２３を溝２５の底面から内方へ出没可能にねじ込むねじ穴２８が設けられている。また、座部２７の長径方向の両側位置（図１１参照）には、取付けねじ等を通す複数の取付け穴２９が設けられている。
一方、保持部材２２は、図１３に示すように、上記座部材２１の筒部２６の小径穴２４ａへ図１０のように嵌め込まれる円柱状の軸部３０と、軸部３０の他端（図１３においては左端）に軸部３０と直角な向きに延設され先端側を大径部に形成した頭部３４ａと、手すり材９９の外周面を約１／２円周まで抱持する抱持部３４とで構成されている。前記抱持部３４の先端部には、図示は省略するが、締結具を通す穴を設けて、手すり材９９を締結具で抱持部３４と固定する構成としてある。
前記軸部３０には、上記座部材２１の筒部２６の小径穴２４ａの内周面に軸方向に形成された溝２５内を通過可能な突起３５が、前記保持部材２２の筒部２６へ嵌め合わせる側の端部の外周面に突設されている。軸部３０にはまた、手すり材９９と壁面との間隔を表示する目盛り３６が、前記突起３５から約１／４円周分を隔てた外周面に刻設されている（図１０も参照）。
【００１８】
なお、抱持部３４は、図１０に示した如く手すり材９９の外周面の約１／２円周を抱持する構成に限らず、約１／３円周を抱持する構成で実施してもよい。
【００１９】
上記構成の壁用手すりブラケット６９は、座部材２１の筒部２６と軸部３０を嵌め合わせて、突起３５を軸穴２４の大径穴２４ｂ内に位置させることにより、座部材２１と保持部材２２が、筒部２６と軸部３０の軸線を中心として全周にわたり相対的に回動可能に、しかも軸部３０が不用意に抜け出る事故の心配がない状態に組み合わされる。因みに、筒部２６の小径穴２４ａの内周面の軸方向に形成された溝２５は、軸部３０を嵌め合わせる際、突起３５を通すため利用される。そして、図１０に示すように、筒部２６と軸部３０の軸線上を大径穴２４ｂの長さの範囲内で相対的に移動（壁面に対して接近・離反）可能とされる。
したがって、壁面に対して接近または離反させた間隔は、前記軸部３０の目盛３６を確認して、また、軸部３０の回転角を図１０の紙面と垂直方向に見定めることにより、手すり材９９の床面に対する傾斜角度を定めることができ、押しねじ２３を軸部３０の外周面に圧接することにより、座部材２１と保持部材２２を一体的に結合する機能を兼ねて確定できる。よって、従来のものに比べて、構成部材の点数を減らせると共に、壁１００への取り付けを容易に行うことができ、かつ、手すり材９９の壁面及び床との傾斜角度を調整することができる。
【００２０】
上記構成の壁用手すりブラケット６９は、手すり材９９をその中間部又は端部で抱持して保持し得る他は、上記参考例１及び２、実施例１及び２とほぼ同様の作用効果を奏する。
【００２１】
なお、座部材２１の筒部２６と保持部材２２の軸部３０を嵌め合わせる構成には限らない。座部材に軸部を設け、保持部材に筒部を設けて嵌め合わせ、上記実施例２と同様な構成で実施してもよい。
【００２２】
本発明の壁用手すりブラケットは、座部材、保持部材及び押しねじの３種類で構成され、座部材の軸部と保持部材の筒部又は座部材の筒部と保持部材の軸部を嵌め合わせ、押しねじを凹部内に突出させることにより、座部材と保持部材が、相対的に、１軸回りに所要角度範囲で回動可能となる。そして、１軸方向へ所要距離を接近・離反する移動が可能となる。また、押しねじを凹部の底面に圧接することにより、座部材と保持部材が一体的に結合されるので、従来のものに比べて、構成部品の点数を格段に減らすことができると共に、壁への取り付けを極めて容易に行うことができる。
【符号の説明】
【００２３】
１      壁用手すりブラケット
２      座部材
２ａ    座部材
３      保持部材
３ａ    保持部材
４      押しねじ
５      凹部
６      軸部
７      座部
１１    筒部
１２    保持部
１５    壁用手すりブラケット
１６    筒部
１８    軸部
１９    凹部
２１    座部材
２１ａ  座部材
２２    保持部材
２２ａ  保持部材
２３    押しねじ
２４    軸穴
２４ａ  小径穴
２５ｂ  大径穴
２５    溝
２６    筒部
２７    座部
３０    軸部
３４    抱持部
３５    突起
４０    壁用手すりブラケット
４１    軸部
４１ａ  突起
４２    座部
４３    軸穴
４３ａ  小径穴
４３ｂ  大径穴
４４    溝
４５    筒部
４７    壁用手すりブラケット
４８    座部材
４９    保持部材
５０    押しねじ
５１    軸穴
５１ａ  小径穴
５１ｂ  大径穴
５２    溝
５３    筒部
５４    座部
５６    軸部
５７    保持部
５８    突起
６９    壁用手すりブラケット
９９    手すり材
１００  壁
【図１】
0005528389.tif 000002
【図２】
0005528389.tif 000003
【図３】
0005528389.tif 000004
【図４】
0005528389.tif 000005
【図５】
0005528389.tif 000006
【図６】
0005528389.tif 000007
【図７】
0005528389.tif 000008
【図８】
0005528389.tif 000009
【図９】
0005528389.tif 000010
【図１０】
0005528389.tif 000011
【図１１】
0005528389.tif 000012
【図１２】
0005528389.tif 000013
【図１３】
0005528389.tif 000014